【事件の表示】
　特許第５３１４２２０号に関する訂正審判事件について、次のとおり審決する。
【結　論】
　特許第５３１４２２０号に係る明細書及び特許請求の範囲を本件審判請求書に添付された訂正明細書及び訂正特許請求の範囲のとおり訂正することを認める。
【理　由】
第１　手続の経緯
　本件訂正審判の請求に係る特許第５３１４２２０号は、２０１２年１１月１９日（優先権主張２０１１年１１月２２日、日本国）を国際出願日とする出願であって、その請求項１ないし請求項５７に係る発明について平成２５年７月１２日に特許権の設定登録がなされたものである。
　そして、平成２６年６月２０日に本件訂正審判の請求がなされた。
　
第２　請求の趣旨
　本件訂正審判の請求の趣旨は、特許第５３１４２２０号の明細書及び特許請求の範囲を、審判請求書に添付した訂正明細書及び訂正特許請求の範囲のとおり一群の請求項ごとに訂正することを求めるものであって、具体的には、以下の訂正事項１〜１５のとおりに訂正することを求めるものである。
　
１．請求項１〜１９からなる一群の請求項に係る訂正
（１）訂正事項１
　請求項１の「２．０重量％」、「ビールテイスト飲料」を、それぞれ、「０．３重量％」、「ノンアルコールのビールテイスト飲料」に訂正する。
（２）訂正事項２
　請求項２、３及び１８を削除する。
（３）訂正事項３
　請求項４の「０．３重量％」、「請求項３」を、それぞれ、「０．１重量％」、「請求項１」に訂正する。
（４）訂正事項４
　請求項５の「請求項１〜４」を「請求項１又は４」に、請求項７の「請求項１〜６」を「請求項１及び４〜６」に、請求項９の「請求項１〜８」を「請求項１及び４〜８」に、請求項１４の「請求項１〜１３」を「請求項１及び４〜１３」に、請求項１９の「請求項１〜１８」を「請求項１及び４〜１７」に、それぞれ訂正する。
（５）訂正事項５
　請求項６の「３．０以上」、「請求項１〜５」を、それぞれ、「３．５以上」、「請求項１、４及び５」に訂正する。
　
２．請求項２０〜３８からなる一群の請求項に係る訂正
（１）訂正事項６
　請求項２０の「２．０重量％」、「ビールテイスト飲料」を、それぞれ、「０．３重量％」、「ノンアルコールのビールテイスト飲料」に訂正し、請求項２８〜３６の「ビールテイスト飲料」を「ノンアルコールのビールテイスト飲料」に訂正する。
（２）訂正事項７
　請求項２１、２２及び３７を削除する。
（３）訂正事項８
　請求項２３の「０．３重量％」、「請求項２２」を、それぞれ、「０．１重量％」、「請求項２０」に訂正する。
（４）訂正事項９
　請求項２４の「請求項２０〜２３」を「請求項２０又は２３」に、請求項２６の「請求項２０〜２５」を「請求項２０及び２３〜２５」に、請求項２８の「請求項２０〜２７」を「請求項２０及び２３〜２７」に、請求項３３の「請求項２０〜３２」を「請求項２０及び２３〜３２」に、請求項３８の「請求項２０〜３７」を「請求項２０及び２３〜３６」に、それぞれ訂正する。
（５）訂正事項１０
　請求項２５の「３．０以上」、「請求項２０〜２４」を、それぞれ、「３．５以上」、「請求項２０、２３及び２４」に訂正する。
　
３．請求項３９〜５７からなる一群の請求項に係る訂正
（１）訂正事項１１
　請求項３９の「２．０重量％」、「ビールテイスト飲料」を、それぞれ、「０．３重量％」、「ノンアルコールのビールテイスト飲料」に訂正し、請求項４７〜５５の「ビールテイスト飲料」を「ノンアルコールのビールテイスト飲料」に訂正する。
（２）訂正事項１２
　請求項４０、４１及び５６を削除する。
（３）訂正事項１３
　請求項４２の「０．３重量％」、「請求項４１」を、それぞれ、「０．１重量％」、「請求項３９」に訂正する。
（４）訂正事項１４
　請求項４３の「請求項３９〜４２」を「請求項３９又は４２」に、請求項４５の「請求項３９〜４４」を「請求項３９及び４２〜４４」に、請求項４７の「請求項３９〜４６」を「請求項３９及び４２〜４６」に、請求項５２の「請求項３９〜５１」を「請求項３９及び４２〜５１」に、請求項５７の「請求項３９〜５６」を「請求項３９及び４２〜５５」に、それぞれ訂正する。
（５）訂正事項１５
　請求項４４の「３．０以上」、「請求項３９〜４３」を、それぞれ、「３．５以上」、「請求項３９、４２及び４３」に訂正する。
　
第３　当審の判断
１．請求項１〜１９からなる一群の請求項に係る訂正について
（１）訂正の目的、新規事項の追加、特許請求の範囲の拡張又は変更
ア．訂正事項１
　訂正事項１は、請求項１について、エキス分の総量の上限値を「２．０重量％」から「０．３重量％」に引き下げるとともに、「ビールテイスト飲料」を、その下位概念である「ノンアルコールのビールテイスト飲料」に限定するものであるから、特許請求の範囲の減縮を目的とするものである。
　そして、請求項１を直接又は間接に引用する請求項４〜１７、１９についても、同様に特許請求の範囲を減縮するものである。
　また、訂正前の請求項４に「エキス分の総量が０．３重量％以下」と記載され、訂正前の請求項１８に「ビールテイスト飲料がノンアルコールのビールテイスト飲料である」と記載されているから、願書に添付した明細書、特許請求の範囲に記載した事項の範囲内の訂正であり、実質上特許請求の範囲を拡張し、又は変更するものでもない。
　
イ．訂正事項２
　訂正事項２は、請求項２、３及び１８を削除するものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
ウ．訂正事項３
　訂正事項３は、請求項４について、エキス分の総量の上限値を「０．３重量％」から「０．１重量％」に引き下げるとともに、請求項３が削除されたことに伴い、引用する請求項を請求項３から請求項１に訂正するものである。訂正後の請求項１は、訂正前の請求項３よりエキス分の総量の点で減縮されていることも考慮すると、訂正事項３は、特許請求の範囲の減縮を目的とするものである。
　また、明細書の【００１９】に「ビールテイスト飲料のエキス分の総量が　……　特に好ましくは０．１重量％以下である」と記載されているから、願書に添付した明細書、特許請求の範囲に記載した事項の範囲内の訂正であり、実質上特許請求の範囲を拡張し、又は変更するものでもない。
　
エ．訂正事項４
　訂正事項４は、請求項５、７、９、１４、１９が引用する請求項の数を減少させるものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
オ．訂正事項５
　訂正事項５は、請求項６について、ｐＨの下限値を「３．０」から「３．５」に引き上げるとともに、引用する請求項の数を減少させるものであるから、特許請求の範囲の減縮を目的とするものである。
　また、明細書の【００２３】に「ｐＨの下限については、ｐＨ２．７以上であり、ｐＨ３．０以上が好ましく、ｐＨ３．５以上が特に好ましい。」と記載されているから、願書に添付した明細書、特許請求の範囲に記載した事項の範囲内の訂正であり、実質上特許請求の範囲を拡張し、又は変更するものでもない。
　
カ．小括
　訂正事項１〜５は、特許法第１２６条第１項ただし書第１号に掲げる事項を目的とするものに該当し、かつ、同条第５項及び第６項の規定に適合するものである。
　
（２）独立特許要件
　訂正事項１〜５は、特許法第１２６条第１項ただし書第１号に掲げる事項を目的とするものであるところ、訂正後の請求項１、４〜１７、１９に記載されている事項により特定される各発明について、特許出願の際独立して特許を受けることができないとする理由を見いだせない。
　よって、訂正事項１〜５は、特許法第１２６条第７項の規定に適合する。
　
２．請求項２０〜３８からなる一群の請求項に係る訂正について
（１）訂正の目的、新規事項の追加、特許請求の範囲の拡張又は変更
ア．訂正事項６
　訂正事項６は、請求項２０について、エキス分の総量の上限値を「２．０重量％」から「０．３重量％」に引き下げるとともに、「ビールテイスト飲料」を、その下位概念である「ノンアルコールのビールテイスト飲料」に限定し、請求項２８〜３６について、「ビールテイスト飲料」を、その下位概念である「ノンアルコールのビールテイスト飲料」に限定するものであるから、特許請求の範囲の減縮を目的とするものである。
　そして、請求項２０を直接又は間接に引用する請求項２３〜３６、３８についても、同様に特許請求の範囲を減縮するものである。
　また、訂正前の請求項２３に「エキス分の総量が０．３重量％以下」と記載され、訂正前の請求項３７に「ビールテイスト飲料がノンアルコールのビールテイスト飲料である」と記載されているから、願書に添付した明細書、特許請求の範囲に記載した事項の範囲内の訂正であり、実質上特許請求の範囲を拡張し、又は変更するものでもない。
　
イ．訂正事項７
　訂正事項７は、請求項２１、２２及び３７を削除するものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
ウ．訂正事項８
　訂正事項８は、請求項２３について、エキス分の総量の上限値を「０．３重量％」から「０．１重量％」に引き下げるとともに、請求項２２が削除されたことに伴い、引用する請求項を請求項２２から請求項２０に訂正するものである。訂正後の請求項２０は、訂正前の請求項２２よりエキス分の総量の点で減縮されていることも考慮すると、訂正事項８は、特許請求の範囲の減縮を目的とするものである。
　また、明細書の【００１９】に「ビールテイスト飲料のエキス分の総量が　……　特に好ましくは０．１重量％以下である」と記載されているから、願書に添付した明細書、特許請求の範囲に記載した事項の範囲内の訂正であり、実質上特許請求の範囲を拡張し、又は変更するものでもない。
　
エ．訂正事項９
　訂正事項９は、請求項２４、２６、２８、３３、３８が引用する請求項の数を減少させるものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
オ．訂正事項１０
　訂正事項１０は、請求項２５について、ｐＨの下限値を「３．０」から「３．５」に引き上げるとともに、引用する請求項の数を減少させるものであるから、特許請求の範囲の減縮を目的とするものである。
　また、明細書の【００２３】に「ｐＨの下限については、ｐＨ２．７以上であり、ｐＨ３．０以上が好ましく、ｐＨ３．５以上が特に好ましい。」と記載されているから、願書に添付した明細書、特許請求の範囲に記載した事項の範囲内の訂正であり、実質上特許請求の範囲を拡張し、又は変更するものでもない。
　
カ．小括
　訂正事項６〜１０は、特許法第１２６条第１項ただし書第１号に掲げる事項を目的とするものに該当し、かつ、同条第５項及び第６項の規定に適合するものである。
　
（２）独立特許要件
　訂正事項６〜１０は、特許法第１２６条第１項ただし書第１号に掲げる事項を目的とするものであるところ、訂正後の請求項２０、２３〜３６、３８に記載されている事項により特定される各発明について、特許出願の際独立して特許を受けることができないとする理由を見いだせない。
　よって、訂正事項６〜１０は、特許法第１２６条第７項の規定に適合する。
　
３．請求項３９〜５７からなる一群の請求項に係る訂正について
（１）訂正の目的、新規事項の追加、特許請求の範囲の拡張又は変更
ア．訂正事項１１
　訂正事項１１は、請求項３９について、エキス分の総量の上限値を「２．０重量％」から「０．３重量％」に引き下げるとともに、「ビールテイスト飲料」を、その下位概念である「ノンアルコールのビールテイスト飲料」に限定し、請求項４７〜５５について、「ビールテイスト飲料」を、その下位概念である「ノンアルコールのビールテイスト飲料」に限定するものであるから、特許請求の範囲の減縮を目的とするものである。
　そして、請求項３９を直接又は間接に引用する請求項４２〜５５、５７についても、同様に特許請求の範囲を減縮するものである。
　また、訂正前の請求項４２に「エキス分の総量が０．３重量％以下」と記載され、訂正前の請求項５６に「ビールテイスト飲料がノンアルコールのビールテイスト飲料である」と記載されているから、願書に添付した明細書、特許請求の範囲に記載した事項の範囲内の訂正であり、実質上特許請求の範囲を拡張し、又は変更するものでもない。
　
イ．訂正事項１２
　訂正事項１２は、請求項４０、４１及び５６を削除するものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
ウ．訂正事項１３
　訂正事項１３は、請求項４２について、エキス分の総量の上限値を「０．３重量％」から「０．１重量％」に引き下げるとともに、請求項４１が削除されたことに伴い、引用する請求項を請求項４１から請求項３９に訂正するものである。訂正後の請求項３９は、訂正前の請求項４１よりエキス分の総量の点で減縮されていることも考慮すると、訂正事項１３は、特許請求の範囲の減縮を目的とするものである。
　また、明細書の【００１９】に「ビールテイスト飲料のエキス分の総量が　……　特に好ましくは０．１重量％以下である」と記載されているから、願書に添付した明細書、特許請求の範囲に記載した事項の範囲内の訂正であり、実質上特許請求の範囲を拡張し、又は変更するものでもない。
　
エ．訂正事項１４
　訂正事項１４は、請求項４３、４５、４７、５２、５７が引用する請求項の数を減少させるものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
オ．訂正事項１５
　訂正事項１５は、請求項４４について、ｐＨの下限値を「３．０」から「３．５」に引き上げるとともに、引用する請求項の数を減少させるものであるから、特許請求の範囲の減縮を目的とするものである。
　また、明細書の【００２３】に「ｐＨの下限については、ｐＨ２．７以上であり、ｐＨ３．０以上が好ましく、ｐＨ３．５以上が特に好ましい。」と記載されているから、願書に添付した明細書、特許請求の範囲に記載した事項の範囲内の訂正であり、実質上特許請求の範囲を拡張し、又は変更するものでもない。
　
カ．小括
　訂正事項１１〜１５は、特許法第１２６条第１項ただし書第１号に掲げる事項を目的とするものに該当し、かつ、同条第５項及び第６項の規定に適合するものである。
　
（２）独立特許要件
　訂正事項１１〜１５は、特許法第１２６条第１項ただし書第１号に掲げる事項を目的とするものであるところ、訂正後の請求項３９、４２〜５５、５７に記載されている事項により特定される各発明について、特許出願の際独立して特許を受けることができないとする理由を見いだせない。
　よって、訂正事項１１〜１５は、特許法第１２６条第７項の規定に適合する。
　
第４　むすび
　以上のとおり、本件訂正審判の請求に係る訂正は、特許法第１２６条第１項ただし書第１号に掲げる事項を目的とし、かつ、同条第５項ないし第７項の規定に適合する。
　よって、結論のとおり審決する。